【事件の表示】
　特願２０１３−１８３０４８「ジェスチャ及び表情ベースの認証」拒絶査定不服審判事件〔平成２６年　３月２７日出願公開，特開２０１４−　５６５７６〕について，次のとおり審決する。
【結　論】
　本件審判の請求は，成り立たない。
【理　由】
１．手続の経緯
　本件請求に係る出願（以下「本願」という。）は，２０１２年９月１１日（以下「優先日」という。）のアメリカ合衆国における出願を基礎とするパリ条約による優先権主張を伴った，平成２５年９月４日の出願であって，その手続の経緯の概略は以下のとおりである。
平成２５年　９月　６日　　：出願審査請求書，翻訳文提出書の提出
平成２６年　７月２９日付け：拒絶理由の通知
平成２６年１０月　３日　　：意見書，手続補正書の提出
平成２６年１０月１７日付け：拒絶査定（同年１０月２２日送達）
平成２７年　１月２２日　　：審判請求書，手続補正書の提出
平成２７年　２月１２日　　：前置報告
平成２７年　８月２７日付け：拒絶理由の通知（当審）
平成２７年１０月３０日　　：意見書，手続補正書の提出
２．本願発明
　本願の請求項１に記載された発明（以下，「本願発明」という。）は，上記平成２７年１０月３０日付け手続補正書により補正された特許請求の範囲，明細書及び図面の記載からみて，その特許請求の範囲の請求項１に記載された以下のとおりのものと認める。
「プロセッサと，
　前記プロセッサがアクセス可能であり，ロジックを具体化する命令を担持するコンピュータ可読記憶媒体と，
を備えるコンピュータであって，前記ロジックは，
　ユーザが，少なくとも，第１の入力パラメータを伴った第１の入力モードを選択することを可能にする段階と，
　認証の際に，前記第１の入力パラメータの入力によって認証された後に，少なくとも１つの他の入力モードの入力パラメータを受信して認証された場合にのみ，前記コンピュータ動作を実行する段階と，
を含んだ方法を実行し，
　前記第１の入力モード又は前記他の入力モードのうちの１つは，赤外線（ＩＲ）検知と組み合わせた顔認証を用いた入力モードであり，前記顔認証に一致するイメージの受信，及び，前記ユーザの不在時にユーザの写真をカメラの前で保持するという問題を回避できるよう設定された閾値の大きさ以上の大きさのＩＲ信号の検知にのみ応答してコンピュータ動作が実行され，
　ユーザは，前記ロジックを通して，前記コンピュータ動作を定義できることを特徴とするコンピュータ」
　なお，上記平成２７年１０月３０日付け手続補正書により補正された特許請求の範囲の請求項１に記載された「認証の際に，前記第１の入力パラメータの入力によって認証された後に，少なくとも１つの他の入力モードの入力パラメータを受信して認証されたた場合にのみ，前記コンピュータ動作を実行する段階」における，「認証されたた」については，「認証された」の誤記であると認定した。
３．引用文献
（１）引用文献１に記載されている技術的事項及び引用発明１
　本願優先日前に頒布され，上記平成２７年８月２７日付けで当審より通知した拒絶理由通知（以下，「当審拒絶理由」という。）において引用された，米国特許出願公開第２０１０／０２５１３５９号明細書（２０１０年９月３０日公開，以下，「引用文献１」という。）には，以下の技術的事項が記載されている。（当審注：以下，下線は，参考のために当審で付与したものである。）
Ａ．「[0015] 
Referring initially to  FIG. 1 , a computer  10  that in the embodiment shown includes a portable lightweight housing  12  has a display  14  such as a touch screen display and a key input device  16  such as a keypad.
In some embodiments a fingerprint reader (FPR)  18  may also be provided on the housing  12 .
[0016] 
The key input device  16  and FPR  18  typically provide input signals to one or more processors  20  (only one processor shown) in the housing  12 .
when the display  14  is a touch screen display, the processor  20  receives input from the display  14 .
[0017] 
The processor  20  can access one or more tangible computer readable storage media  22  to read and write data thereto and to execute logic stored thereon.
[0018] FIG. 1  shows various additional sources of input signals to the processor  20  that may be supported on the housing  12 . 
For example, a microphone  24  may provide voice input to the processor  20 , while a camera  26  may provide still and/or moving image input to the processor  20 .
（当審訳：「[0015] 
最初に図１を参照すると，ポータブル軽量ハウジング１２を含む図示の実施形態のコンピュータ１０は，タッチスクリーンディスプレイ等のディスプレイ１４及びキーパッド等のキー入力デバイス１６を有する。
いくつかの実施形態では，指紋リーダー（ＦＲＰ）１８を，ハウジング１２に設けてもよい。
[0016] 
一般に，キー入力デバイス１６及びＦＲＰ１８は，入力信号をハウジング１２内の１つ又はそれ以上のプロセッサ２０（１つのプロセッサだけを示す）に供給する。
ディスプレイ１４がタッチスクリーンディスプレイの場合，プロセッサ２０はディスプレイ１４から入力信号を受信する。
[0017] 
プロセッサ２０は，１つ又はそれ以上の有形コンピュータ可読記憶媒体２２にアクセスしてデータを読み書きして，記憶されたロジックを実行することができる。
[0018] 図１には，ハウジング１２が支持できる，プロセッサ２０への種々の追加の入力信号の供給源が示されている。
例えば，マイクロフォン２４は，プロセッサ２０に音声入力を供給することができ，一方でカメラ２６は，プロセッサ２０に静止画及び／又は動画入力を供給することができる。
Ｂ．「[0022] 
FIG. 2  shows example logic that may be implemented by the processor  20 . A set-up screen may be presented on the display  14  at block  36  to enable a user to select to define what specific input modes and values associated therewith are to be used for purposes discussed below. 
At block  40 , the processor  20  causes the display  14  to present a user interface, an example of which is discussed below, on the display  14  to allow the user to define a multi-mode with corresponding multi-value protocol for enabling a user-selected computer behavior. This behavior is unlocked at block  42  subsequently, and only when the user-defined protocol is input as specified by the user, i.e., only when input modal values match the user-defined values, such that only if a match is found, the computer behavior is unlocked.
[0023] 
FIG. 3  gives an example set of user interface screens that may be presented on the display  14  in the logic of block  40  of  FIG. 2 . The screen  44  instructs the user to select a first mode. In the example shown, the first mode may be selected from a list that includes voice recognition, potentially with a corresponding cadence, keypad entry, and image entry.
[0024] Assuming the user selects voice recognition, the screen  46  may be presented, in which the user is instructed to speak into the microphone  24  the desired value or parameter of the voice mode component, e.g., a word or word string. The parameters may include specific words and/or cadence, timing, and/or more advanced voice recognition parameters such as voice prints, voice-to-text recognition, etc.)
[0025] The processor  20  can execute voice recognition software to convert the signal from the microphone to data values that are stored on the medium  22 . The values are associated with #voice mode#, i.e., with a requirement that the values be received subsequently from the microphone  24 .
[0026] 
Because multiple modes are to be defined the screen  48  may next be presented on the display  14 , instructing the user to select a second mode. 
[0027] 
If desired, the user may be given the opportunity to select more than two modes
Assuming the user selects image the screen  54  can be presented instructing the user to take a picture of the desired image, e.g., the user's face, which is stored in memory and associated with the camera  26 . The image can include still images (pattern, optical character recognition, etc.), video image recognition (which may include movement detection, color pattern analysis, etc.)
[0028] Additional input modes and data values may be defined by the user in accordance with above principles. For instance, the user may be given the opportunity to select a geographic position and a radius around the position beyond which the necessary match discussed below will not be made. Also, the user may be given the opportunity to define a particular acceleration of the computer as an input mode by, e.g., moving the computer in an intended fashion and having the corresponding signal from the accelerometer  34  stored as the data value for that input mode. Touch screen  14  entry of finger position and/or movement may establish yet another mode, and entry from the FPR  18  or other biometric sensor may establish another mode.
[0029] 
Once the mode sequence and values have been defined by the user,  FIG. 4  shows that a screen  56  may be presented to enable the user to define the purpose for which subsequent input of the defined mode sequence and values is to be used. For example, the user may elect to require input of the defined protocol to logon to the computer, or to connect to a network. Other computer behaviors that can be invoked only upon input of the user-defined multi-modal protocol include a transition from a device state with the low power consumption hibernation mode with security device lock engaged to another state with active use of the application software or the network service access functions.
（当審訳：「[0022] 
図２は，プロセッサ２０が実行することができる例示的なロジックを示す。ブロック３６において，設定画面をディスプレイ１４上に表示することができ，ユーザは，以下に示す目的のために，どの特定の入力モード及びこれに関連する値を使用するかを定義するために選択操作できる。
ブロック４０において，プロセッサ２０により，ディスプレイ１４は，その一例が以下に説明されるユーザインタフェースをディスプレイ１４上に表示して，ユーザは，対応するユーザ選択されたコンピュータ動作を可能にする多値プロトコルを使用して，マルチモードを定義することができる。続いて，この動作は，ユーザ定義プロトコルが，ユーザが定義した入力である場合にだけ，つまり複数の入力モードの値が複数のユーザ定義値に一致する場合にだけ，ブロック４２においてアンロックされ，従って，一致が見つかった場合にだけコンピュータ動作はアンロックされる。
[0023] 
図３は，図２のブロック４０のロジックにおいてディスプレイ１４上に表示できるユーザインタフェース画面セットの実施例を示す。画面４４は，ユーザに第１のモードを選択するように指示する。図示の実施例において，第１のモードは，対応する抑揚を用いる場合もある音声認識，キーパッド入力，ジェスチャ入力，及び，及びイメージ入力を含むリストから選択できる。
[0024] ユーザが音声認識を選択したと仮定すると，ユーザにマイクロフォン２４に向かって例えば，単語又は単語列といった音声モード成分の所望の数値又はパラメータを話すように指示する画面４６を表示することができる。パラメータは，特定の単語及び／又は抑揚，タイミング，及び／又は声紋，音声文字認識等のより高度な音声認識パラメータを含むことができる。
[0025] プロセッサ２０は，音声認識ソフトウェアを実行して，マイクロフォンからの信号をデータ値に変換することができ，このデータ値は媒体２２に格納される。この値は，「音声モード」，つまりマイクロフォン２４からその後に受け取るデータ値の要件に関連する。
[0026] 
マルチモードを定義することができるので，次に，ユーザの第２のモードの選択を指示する画面４８をディスプレイ１４上に表示することができる。
[0027] 
必要であれば，ユーザには２つ以上のモードを選択する機会が与えられる。
ユーザが「イメージ」を選択すると仮定すると，メモリ格納されカメラ２６に関連付けられる所望のイメージ（例えば，ユーザの顔）の写真を撮るようにユーザに指示する画面５４が表示される。イメージは，静止画（パターン，光学文字認識等），動画認識（動き検知，カラーパターン分析等を含む）を含むことが出来る。
[0028] 上記の原理に基づいて，追加の入力モードとデータ値がユーザによって定義されてもよい。例えば，ユーザは，地理的位置と，その位置の周りの半径を選択する機会を与えられる。その半径は，それを越えては，以下に説明する必須の一致が行われないものである。また，例えば意図されたやり方でコンピュータを動かして，その入力モード用のデータ値として記憶された加速度計34からの対応信号を有することにより，ユーザは入力モードとしてコンピュータの特定の加速度を定義する機会を与えられる。指の位置又は動きのタッチスリーン14入力は，さらに別のモードを確立する。ＦＲＰ１８又は他の生体センサからの入力は，別のモードを確立する。
[0029] 
いったんユーザがモードシーケンス及び値が定義すると，図４が示すように，画面５８が表示され，ユーザは定義されたモードシーケンス及び値の後続入力が使用される目的を定義することができる。例えば，ユーザは，コンピュータにログオンする，又は，ネットワークに接続するための，定義されたプロトコルの入力を要求することを選択することができる。ユーザ定義のマルチモーダルプロトコルの入力時にのみ呼び出すことができる他のコンピュータ動作は，セキュリティデバイスロック係合状態の低消費電力休止モードのデバイス状態から，アプリケーションソフトウェア又はネットワークサービスアクセス機能を能動的に使用する他の状態への移行を含む。
　ここで，上記引用文献１に記載されている事項を検討する。
（ア）上記Ａの段落0015の「最初に図１を参照すると，ポータブル軽量ハウジング１２を含む図示の実施形態の
コンピュータ
タッチスクリーンディスプレイ
キーパッド
指紋リーダー
　上記Ａの段落0016の「一般に，キー入力デバイス１６及びＦＲＰ１８は，入力信号をハウジング１２内の１つ又はそれ以上のプロセッサ２０（１つのプロセッサだけを示す）に供給する・・・（中略）・・・ディスプレイ１４がタッチスクリーンディスプレイの場合，プロセッサ２０はディスプレイ１４から入力信号を受信する。」旨の記載，及び，
　上記Ａの段落0017の「
プロセッサ２０は，１つ又はそれ以上の有形コンピュータ可読記憶媒体２２にアクセスし
記憶されたロジックを実行する
　上記Ａの段落0018の「例えば，
マイクロフォン
カメラ
　「コンピュータ」は，「プロセッサ」と，「コンピュータ可読記憶媒体」と，プロセッサへ信号を供給する「タッチスクリーンディスプレイ」，「指紋リーダー」，「キーパッド」，「マイクロフォン」，「カメラ」とを有することが読み取れ，
　該「コンピュータ可読記憶媒体」は，「プロセッサ」がアクセス可能であり，「ロジック」が記憶されていることが読み取れるから，
引用文献１には，
“コンピュータは，
　プロセッサ，プロセッサがアクセス可能でロジックが記憶されたコンピュータ可読記憶媒体，及び，タッチスクリーンディスプレイ，指紋リーダ，キーパッド，音声入力のためのマイクロフォン，カメラなど複数種類の入力手段を有する”こと
が記載されていると認められる。
（イ）上記Ｂの段落0022の「図２は，プロセッサ２０が実行することができる例示的なロジックを示す。ブロック３６において，設定画面をディスプレイ１４上に表示することができ，
ユーザは
どの特定の入力モード及びこれに関連する値を使用するかを定義するために選択操作できる
　上記Ｂの段落0023の「図３は，図２のブロック４０のロジックにおいてディスプレイ１４上に表示できるユーザインタフェース画面セットの実施例を示す。
画面４４は，ユーザに第１のモードを選択するように指示する
第１のモードは，対応する抑揚を用いる場合もある音声認識，キーパッド入力，ジェスチャ入力，及び，及びイメージ入力を含むリストから選択できる。
　上記Ｂの段落0026の「マルチモードを定義することができるので，次に，ユーザの
第２のモードの選択を指示する画面
　上記Ｂの段落0027の「必要であれば，ユーザには２つ以上のモードを選択する機会が与えられる。」旨の記載からすると，
　ユーザは，音声認識，キーパッド入力，ジェスチャ入力，及び，及びイメージ入力を含むリストから，第１の入力モードや第２の入力モードを選択し，これに関連する値を定義できるから，
引用文献１には，上記「ロジック」において，
　“ユーザは，複数の入力手段に対応する複数の入力モードを選択して値を定義できる”ことが記載されていると認められる。
（ウ）上記Ｂの段落0027の『必要であれば，
ユーザには２つ以上のモードを選択する機会が与えられる。
ユーザが「イメージ」を選択すると
メモリ格納されカメラ２６に関連付けられる所望のイメージ（例えば，ユーザの顔）
引用文献１には，上記「ロジック」において，
“イメージの入力モードでは，カメラからのユーザの顔画像（静止画，動画の動き認識を含む）をカメラと関連付けて保存する”ことが記載されていると認められる。
（エ）上記Ｂの段落0029の「いったんユーザがモードシーケンス及び値が定義すると，図４が示すように，画面５８が表示され，ユーザは定義されたモードシーケンス及び値の後続入力が使用される目的を定義することができる。例えば，ユーザは，コンピュータに
ログオンする
ネットワークに接続する
他のコンピュータ動作
ネットワークサービスアクセス機能を能動的に使用する他の状態への移行を含む
引用文献１には，上記「ロジック」において，
“ユーザは，モードのシーケンスと値を定義すると，
　ログオン，ネットワーク接続，低消費電力モードから能動的使用状態への移行のような使用目的を選択して定義できる”ことが記載されていると認められる。
（オ）上記Ｂの段落0022の「続いて，この動作は，ユーザ定義プロトコルが，ユーザが定義した入力である場合にだけ，つまり
複数の入力モードの値が複数のユーザ定義値に一致する場合にだけ
コンピュータ動作はアンロックされる。
引用文献１には，上記「ロジック」において，
“複数の入力モードの値と，ユーザが定義した複数の値が一致する場合のみ，コンピュータの動作がアンロックされる”ことが記載されていると認められる。
（カ）以上，（ア）乃至（オ）で検討した事項を踏まえると，引用文献１には，次の発明（以下，「引用発明１」という。）が記載されているものと認められる。
「コンピュータは，
　プロセッサ，プロセッサがアクセス可能でロジックが記憶されたコンピュータ可読記憶媒体，及び，タッチスクリーンディスプレイ，指紋リーダ，キーパッド，音声入力のためのマイクロフォン，カメラなど複数種類の入力手段を有し，
　上記ロジックにおいて，
　ユーザは，複数の入力手段に対応する複数の入力モードを選択して値を定義でき，
　イメージの入力モードでは，カメラからのユーザの顔画像（静止画，動画の動き認識を含む）をカメラと関連付けて保存し，
　ユーザは，モードのシーケンスと値を定義すると，
　ログオン，ネットワーク接続，低消費電力モードから能動的使用状態への移行のような使用目的を選択して定義でき，
　複数の入力モードの値と，ユーザが定義した複数の値が一致する場合のみ，コンピュータの動作がアンロックされる
　コンピュータ」
（２）引用文献２に記載されている技術的事項及び引用発明２
　本願優先日前に頒布され，当審拒絶理由において引用された，特開２００４−４６６９７号公報（平成１６年２月１２日公開，以下，「引用文献２」という。）には，以下の技術的事項が記載されている。
Ｃ．「【００５０】
個人認証装置１は，認証対象者の存在を検出すると（ｓ３１），カメラ１０で撮像されている認証対象者の顔画像を顔画像入力部４から取り込む（ｓ３２）。個人認証装置１は，赤外線センサ等で認証対象者を自動検出する構成であってもよい
個人認証装置１は，ｓ３２で取り込んだ認証対象者の顔画像から，顔部品毎に特徴量を抽出し（ｓ３３），認証者顔画像データを作成する
　上記Ｃの記載からすると，引用文献２には，次の発明（以下，「引用発明２」という。）が記載されているものと認められる。
「赤外線センサで認証対象者を自動検出し，認証対象者の存在を検出すると，カメラで撮像されている認証対象者の顔画像を取り込み，顔画像による認証を行う個人認証装置」
４．参考文献
（１）参考文献１に記載されている技術的事項
　本願優先日前に頒布され，当審拒絶理由において引用された，特開２０１１−１９６６４１号公報（平成２３年１０月６日公開，以下，「参考文献１」という。）には，以下の技術的事項が記載されている。
Ｄ．「【００１４】
　そして，
人体から放射される赤外線を検出する熱起電力型温度センサー等の上人感センサー
Ｅ．「【００１７】
　上人感センサー３１及び下人感センサー３２は，加熱調理器１００の前に人が存在するか否かを検出し，その検出情報を制御手段１３に送信する。特に，上人感センサー３１は，図２で示されるように，その検出範囲３１ａの検出方向軸が水平面から角度θ１だけ上方に向かって設置されており，加熱調理器１００の前に立つ人が立っている状態であるのか否かを検出することができる。また，下人感センサー３２は，図２で示されるように，その検出範囲３２ａの検出方向軸が水平面と略平行となるように設置されており，加熱調理器の前の人が立っている状態，及び，しゃがみ込んでいる状態のいずれも検出することができ，加熱調理器の前の人の存在自体を検出することができる。このとき，
上人感センサー３１及び下人感センサー３２は，人から放射される赤外線の検出量が所定の閾値以上であることを検出した場合，その検出方向に使用者が存在するものとして，Ｈｉ信号を出力する。
（２）参考文献２に記載されている技術的事項
　本願優先日前に頒布され，当審拒絶理由において引用された，特開平１−１１４７８４号公報（平成１年５月８日公開，以下，「参考文献２」という。）には，以下の技術的事項が記載されている。
Ｆ．「２．特許請求の範囲
赤外線センサー素子からの検出出力が判定レベルを超えたことを検出したときに人体等赤外線源の存在を判定する判定手段
（３）参考文献３に記載されている技術的事項
　本願優先日前に頒布された，特開昭６４−７９８９５号公報（昭和６４年３月２４日公開，以下，「参考文献３」という。）には，以下の技術的事項が記載されている。
Ｇ．「（作　用）
　　この発明では
認証を行なうために用いる身体部位の温度を計測して計測結果が予め設定された温度範囲外の場合には認証を行なわない手段
前記温度範囲を体温近傍にしておけば
写真や切り取られた指や，顔形状マスクの温度を計測して温度が低いため認証は行なわない。
　　（実施例）
　（１）指紋読み取り部に熱電対を配置し，この計測結果が３０゜〜３８゜Ｃの時以外は認証を行なわないように構成した。この読み取り部に被認証権保持者の指紋の写真をあてても認証は行なわれなかった。
　（２）
赤外線を測定することにより非接触で温度を計測する装置を用いて顔の温度を測定する構成として，顔の形状により認証するように構成
５．対比
　本願発明と引用発明１とを対比する。
（１）引用発明１の「プロセッサ，プロセッサがアクセス可能でロジックが記憶されたコンピュータ可読記憶媒体，及び，タッチスクリーンディスプレイ，生体センサ入力のための指紋リーダ，キーパッド，音声入力のためのマイクロフォン，カメラなど複数種類の入力手段を有」する「コンピュータ」は，情報処理の技術分野において，「ロジック」が「命令」で具体化されることは技術常識であるから，
　本願発明の「プロセッサと，前記プロセッサがアクセス可能であり，ロジックを具体化する命令を担持するコンピュータ可読記憶媒体と，を備えるコンピュータ」に相当する。
（２）引用発明１の「ユーザは，複数の入力手段に対応する複数の入力モードを選択して値を定義でき，イメージの入力モードでは，カメラからのユーザの顔画像（静止画，動画の動き認識を含む）をカメラと関連付けて保存」することは，
　引用発明１の「入力モード」は，本願発明の「第１の入力モード」に相当し，
　引用発明１の「値」及び「顔画像」は，選択された第１の入力モードで入力された値であり，本願発明の「第１の入力パラメータ」に相当するから，
本願発明の「ユーザが，少なくとも，第１の入力パラメータを伴った第１の入力モードを選択することを可能にする段階」に相当する。
（３）引用発明１の「ロジックにおいて」，「ログオン，ネットワーク接続，低消費電力モードから能動的使用状態への移行のような使用目的を選択して定義でき」ることは，
　ログオン，ネットワーク接続，能動的使用状態への移行は，コンピュータ動作の一態様であるから，
　本願発明の「ユーザは，前記ロジックを通して，前記コンピュータ動作を定義できること」に相当する。
（４）引用発明１の「複数の入力モードの値と，ユーザが定義した複数の値が一致する場合のみ，コンピュータの動作がアンロックされる」ことは，
　引用発明１の「複数の入力モードの値」は，複数入力モードに対応して定義された値であるから，本願発明の「第１の入力パラメータ」及び「他の入力モードの入力パラメータ」に相当し，
　引用発明１の「複数の入力モードの値と，ユーザが定義した複数の値が一致する」ことは，「コンピュータの動作」を「アンロック」，すなわち，ロックを解除して実行するための認証処理の一態様であるといえるから，
　本願発明の「認証の際に，前記第１の入力パラメータの入力によって認証された後に，少なくとも１つの他の入力モードの入力パラメータを受信して認証された場合にのみ，前記コンピュータ動作を実行する段階」に相当する。
（５）引用発明１の「ユーザは，複数の入力手段に対応する複数の入力モードを選択して値を定義でき，
　イメージの入力モードでは，カメラからのユーザの顔画像（静止画，動画の動き認識を含む）をカメラと関連付けて保存し，
　ユーザは，モードのシーケンスと値を定義すると，
　ログオン，ネットワーク接続，低消費電力モードから能動的使用状態への移行のような使用目的を選択して定義でき，
　複数の入力モードの値と，ユーザが定義した複数の値が一致する場合のみ，コンピュータの動作がアンロック」されることと，
　本願発明の「前記第１の入力モード又は前記他の入力モードのうちの１つは，赤外線（ＩＲ）検知と組み合わせた顔認証を用いた入力モードであり，前記顔認証に一致するイメージの受信，及び，前記ユーザの不在時にユーザの写真をカメラの前で保持するという問題を回避できるよう設定された閾値の大きさ以上の大きさのＩＲ信号の検知にのみ応答してコンピュータ動作が実行」されることの両者を対比する。
　引用発明１の「複数の入力モード」のうちの１つは，「イメージの入力モード」であり，
　「イメージの入力モード」の場合，「ユーザの顔画像」を保存しておき，
　イメージの入力モードの入力値である「ユーザの顔画像」と，ユーザが定義して保存した上記「ユーザの顔画像」が一致する場合のみ，コンピュータの動作がアンロックされるところ，
　入力された「顔画像」と，保存された「顔画像」の一致によって，アンロックすることは，「顔認証」といえるから，
　引用発明１の「イメージの入力モード」は，「顔認証を用いた入力モード」に相当する。
　したがって，前記両者は，後記する点で相違するものの，
“前記第１の入力モード又は前記他の入力モードのうちの１つは，顔認証を用いた入力モードであり，前記顔認証に一致するイメージの受信にのみ応答してコンピュータ動作が実行”される点で共通しているといえる。
（６）以上から，本願発明と引用発明１とは，以下の点で一致し，また，以下の点で相違する。
　
（一致点） 
　「プロセッサと，前記プロセッサがアクセス可能であり，ロジックを具体化する命令を担持するコンピュータ可読記憶媒体と，を備えるコンピュータであって，前記ロジックは，
　ユーザが，少なくとも，第１の入力パラメータを伴った第１の入力モードを選択することを可能にする段階と，
　認証の際に，前記第１の入力パラメータの入力によって認証された後に，少なくとも１つの他の入力モードの入力パラメータを受信して認証された場合にのみ，前記コンピュータ動作を実行する段階と，
を含んだ方法を実行し，
　前記第１の入力モード又は前記他の入力モードのうちの１つは，顔認証を用いた入力モードであり，前記顔認証に一致するイメージの受信にのみ応答してコンピュータ動作が実行され，
　ユーザは，前記ロジックを通して，前記コンピュータ動作を定義できることを特徴とするコンピュータ」
（相違点）
　「顔認証」に関して，
　本願発明では，「ユーザの不在時にユーザの写真をカメラの前で保持するという問題を回避できるよう設定された閾値の大きさ以上の大きさのＩＲ信号の検知」と組み合わせるのに対して，
　引用発明１では，赤外線（ＩＲ）検知処理について特定されていない点。
６．当審の判断
　上記相違点について検討する。
　上記引用発明２の「赤外線センサで認証対象者を自動検出し，認証対象者の存在を検出すると，カメラで撮像されている認証対象者の顔画像を取り込み，顔画像による認証を行う個人認証装置」は，
　赤外線センサによる認証対象者，すなわち，人間の検知と，顔画像による認証を組み合わせた個人認証装置であるところ，
　人間の存在を検出する際に，赤外線センサが出力する赤外線の大きさに対して，何らかの判定処理を実行することは自明である。
　また，人感用の赤外線センサにおいて，人間が放射する赤外線を受信し，受信した赤外線の大きさが所定値以上の場合に，人間が存在すると判定することは，例えば，参考文献１（上記Ｄ，Ｅ参照），参考文献２（上記Ｆ参照），参考文献３（上記Ｇ参照）に記載されるように，本願優先日前には普通に用いられていた常とう手段であった。
　ここで，「写真」等の熱源でない物体は，人間が放射する赤外線を放射していないのであるから，人間を検出するための閾値では，「写真」のような物体は人間として検知されないことは明らかである。
　また，引用発明１と引用発明２とは，いずれも認証技術の分野に属し，「カメラ」からの「顔画像」を用いて顔認証する機能を備えている。
　してみると，引用発明１に，共通の技術分野に属し，かつ，共通の機能を有する引用発明２を適用し，上記常とう手段を参酌して，赤外線の大きさが人間を検出するための閾値以上の場合に人間を検知する人感用の赤外線センサを採用すること，すなわち，相違点に係る構成とすることは，当業者が容易に想到し得たことである。
　以上で検討したごとく，上記相違点は格別のものではなく，本願発明の奏する作用効果は，上記引用発明１，引用発明２及び常とう手段の奏する作用効果から予測される範囲内のものにすぎず，格別顕著なものということはできない。
７．むすび 
　以上のとおり，本願の請求項１に係る発明は，特許法第２９条第２項の規定により特許を受けることができないものであるから，その余の請求項に係る発明について検討するまでもなく，本願は拒絶すべきものである。 
　よって，結論のとおり審決する。